(57)【要約】【課題】無線機を新規に設置する場合、運用時に無線通信ができるかどうかの確認が容易に行え、設置後に電波状況の変化が発生した場合でもより高い通信品質の確保ができる無線通信装置を提供する。【解決手段】無線信号を受信する受信部６と、無線信号の電界強度を測定する電界強度測定部７と、無線信号の電文を解析して、無線信号が、電波状況を確認するテスト通信であることを示すテスト信号であるかどうかを判断する電文解析部１０と、無線信号がテスト信号であった場合に、電界強度測定部７により測定された電界強度が予め設定されたしきい値よりも小さいかどうかを判定して、電界強度がしきい値よりも小さいときに、エラー報知を行う制御部１１とを備える。【選択図】図２
2006333090.tif 000002
【特許請求の範囲】
【請求項１】
無線信号を受信する受信部と、
前記無線信号の電界強度を測定する電界強度測定部と、
前記無線信号の電文を解析して、前記無線信号が、電波状況を確認するテスト通信であることを示すテスト信号であるかどうかを判断する電文解析部と、
前記無線信号が前記テスト信号であった場合に、前記電界強度測定部により測定された電界強度が予め設定されたしきい値よりも小さいかどうかを判定して、前記電界強度が前記しきい値よりも小さいときに、エラー報知を行う制御部と、
を備えることを特徴とする無線通信装置。
【請求項２】
無線信号を送信する送信部と、
前記無線信号の送信電力を減衰させる信号減衰部と、
電波状況を確認するテスト通信を行う場合に、前記信号減衰部により前記無線信号の送信電力を減衰させる制御部と、
を備えることを特徴とする無線通信装置。
【請求項３】
無線信号を受信する受信部と、
前記無線信号の受信電力を減衰させる信号減衰部と、
電波状況を確認するテスト通信を行う場合に、前記信号減衰部により前記無線信号の受信電力を減衰させる制御部と、
を備えることを特徴とする無線通信装置。
【請求項４】
無線親機及び無線子機からなり、
前記無線子機は、
無線信号を受信する受信部と、
前記無線信号の電文を解析して、前記無線信号が電波状況を確認するテスト通信を開始するためのテスト起動信号であるかどうかを判断する電文解析部と、
前記無線信号が前記テスト起動信号であった場合に、前記テスト通信であることを示すテスト信号を送信する送信部と、
を備え、
前記無線親機は、
前記無線信号を送信する送信部と、
前記テスト通信を行う場合に、前記テスト起動信号を発生させて前記送信部に出力するテスト起動信号発生手段と、
前記無線信号を受信する受信部と、
前記無線信号の電文を解析して、前記無線信号が前記テスト信号であるかどうかを判断する電文解析部と、
前記無線信号が前記テスト信号であった場合に、前記電界強度測定部により測定された電界強度が予め設定されたしきい値よりも小さいかどうかを判定して、前記電界強度が前記しきい値よりも小さいときに、エラー報知を行う制御部と、
を備えることを特徴とする無線通信システム。
【請求項５】
無線親機及び無線子機からなり、
前記無線親機は、
無線信号を受信する受信部と、
前記無線信号の電文を解析して、前記無線信号が電波状況を確認するテスト通信を開始するためのテスト起動信号であるかどうかを判断する電文解析部と、
前記無線信号が前記テスト起動信号であった場合に、前記テスト通信であることを示すテスト信号を送信する送信部と、
を備え、
前記無線子機は、
前記無線信号を送信する送信部と、
前記テスト通信を行う場合に、前記テスト起動信号を発生させて前記送信部に出力するテスト起動信号発生手段と、
前記無線信号を受信する受信部と、
前記無線信号の電文を解析して、前記無線信号が前記テスト信号であるかどうかを判断する電文解析部と、
前記無線信号が前記テスト信号であった場合に、前記電界強度測定部により測定された電界強度が予め設定されたしきい値よりも小さいかどうかを判定して、前記電界強度が前記しきい値よりも小さいときに、エラー報知を行う制御部と、
を備えることを特徴とする無線通信システム。
【発明の詳細な説明】
【技術分野】
【０００１】
本発明は、設置後の電波状況変化を考慮したテスト通信を容易に行うことができる無線通信装置及び無線通信システムに関する。
【背景技術】
【０００２】
従来、火災感知器、ガス漏れ警報器等の防災端末機が火災等の異常を検知した場合に、通信ネットワークを介して集中監視センタに自動的に通報する自動通報無線通信システムが知られている。
【０００３】
自動通報無線通信システムは、防災端末に無線子機を接続し、通信ネットワークに接続される網制御装置に無線親機を接続して、防災端末で火災等の異常が検知された場合に、無線子機から無線親機へ異常情報を無線送信し、通信ネットワークを介して集中監視センタ等に通報する。
【０００４】
上記のような自動通報無線通信システムにおいて、無線子機及び無線親機を新規に設置する場合、設置する無線親機と無線子機間で電波が十分とどいているかどうかを確認する必要がある。この電波状況を確認する手段としては、無線機の設置場所近傍に電界強度測定器等を設置して電界強度を測定して判断する場合（例えば、特許文献１）や、無線親機及び無線子機間で実際に無線通信を行った結果で判断する場合が多い。
【特許文献１】特開２００４−２１５１５４号公報
【発明の開示】
【発明が解決しようとする課題】
【０００５】
しかしながら、上記のように電界強度測定器等によって電波状況を確認する場合、電界強度測定器の設置場所と無線機の設置場所を同一にすることは難しく、また、設置する場所の周囲環境も刻々と変化するため、運用時とテスト通信時の環境を同一にすることは非常に困難であるため、正確な電界強度測定が行えない。
【０００６】
また、無線親機および無線子機間で実際に無線通信を行う場合、設置時の通信確認では良好な結果が得られていた場合でも、その後家具等の配置変更や、昼夜で周囲環境の変化等により電波状況が悪化し、通信できなくなるという問題があった。
【０００７】
本発明の課題は、運用時に無線通信ができるかどうかの確認が容易に行え、設置後に家具等の配置変更や、昼夜で周囲環境の変化等が発生した場合でもより高い通信品質の確保ができる無線通信装置及び無線通信システムを提供することにある。
【課題を解決するための手段】
【０００８】
本発明は、上記課題を解決するために以下の手段を採用した。請求項１の発明は、無線信号を受信する受信部と、前記無線信号の電界強度を測定する電界強度測定部と、前記無線信号の電文を解析して、前記無線信号が、電波状況を確認するテスト通信であることを示すテスト信号であるかどうかを判断する電文解析部と、前記無線信号が前記テスト信号であった場合に、前記電界強度測定部により測定された電界強度が予め設定されたしきい値よりも小さいかどうかを判定して、前記電界強度が前記しきい値よりも小さいときに、エラー報知を行う制御部とを備えることを特徴とする。
【発明の効果】
【０００９】
請求項１の発明によれば、受信した無線信号がテスト信号であると判断されたときに、電界強度測定部で測定された電界強度と、予め設定されたしきい値とを比較して、測定された電界強度がしきい値よりも小さいときはエラー報知を行うので、無線通信装置を新規に設置する場合、設置後の電波状況変化を考慮して、運用時に無線通信ができるかどうかの確認を容易に行うことができ、設置後に家具等の配置変更や、昼夜で周囲環境の変化等が発生した場合でもより高い通信品質の確保ができる。
【発明を実施するための最良の形態】
【００１０】
以下、本発明の実施例に係る無線通信装置及び無線通信システムを図面を参照しながら詳細に説明する。なお、以下の実施例では本発明の無線通信装置及び無線通信システムを自動通報無線通信システムに適用した場合を例に説明する。
【実施例１】
【００１１】
図１は自動通報無線通信システムの概略構成図である。図１に示すように、自動通報無線通信システムは、無線親機１、網制御装置２、無線子機３、防災端末４を備えて構成され、無線親機１は網制御装置２及び通信ネットワーク１００を介してセンタ装置１０１等の上位機器に接続され、無線子機３は火災感知器等の防災端末４に接続されている。本発明の無線通信装置は、図１の無線親機１または無線子機３である。
【００１２】
この自動通報無線通信システムは、防災端末４で異常が検知された場合に、無線子機３から無線親機１へ異常情報を無線送信し、通信ネットワーク１００を介してセンタ装置１０１に通報する。また、無線親機１及び無線子機３を新規に設置する場合、無線親機１と無線子機３間で電波が十分とどいているかどうかを確認するためのテスト通信を行う。
【００１３】
このテスト通信は、次のような手順で行われる。まず、テスト通信を開始するためのテスト起動信号を無線親機１から無線子機３へ無線送信する。次に、無線子機３はテスト起動信号に応答して、テスト信号を無線親機１へ無線送信する。無線親機１は、受信したテスト信号の電界強度が予め設定されたしきい値よりも大きいかどうかによって無線子機３と無線親機１間の電波状況を確認する。なお、テスト通信は、無線子機３から無線親機１へテスト起動信号を無線送信し、これに応答して無線親機１から無線子機３へテスト信号を無線送信するものとしてもよい。
【００１４】
図２は本発明の実施例１に係る無線親機１の機能構成を示すブロック図である。図２に示すように、無線親機１は、アンテナ５、受信回路部６、電界強度測定部７、送信回路部８、信号処理部９、電源回路部１２、テスト通信起動部１４及び報知部１５を備えて構成されている。また、信号処理部９は、電文解析部１０、制御回路部１１及びしきい値設定部１３を備えている。
【００１５】
受信回路部６は、アンテナ５を介して信号を無線受信する。送信回路部８は、アンテナ５を介して信号を無線送信する。電源回路部１２は、信号処理部９に電源を供給する。
【００１６】
電界強度測定部７は、受信回路部６で受信した信号の電界強度を測定して測定値を制御回路部１１に出力する。電文解析部１０は、受信回路部６で受信した信号を制御回路部１１に出力するとともに受信した信号の電文を解析して、テスト起動信号およびテスト信号であるかどうかを判断する。
【００１７】
制御回路部１１は、受信した信号がテスト起動信号およびテスト信号でない場合、信号を網制御装置２に出力する。制御回路部１１は、受信した信号がテスト起動信号である場合、無線子機３に対してテスト信号を無線送信する。制御回路部１１は、受信した信号がテスト信号である場合、電界強度測定部７から出力された電界強度の測定値と、しきい値設定部１３に予め設定されたしきい値とを比較して、電界強度の測定値がしきい値よりも大きい場合は、信号を網制御装置２に出力する。電界強度の測定値がしきい値よりも小さい場合は、報知部１５にエラー報知するとともにエラー報知電文を網制御装置２に出力して、通信を終了する。このとき、エラー報知電文を出力する替わりに網制御装置２に信号を出力せずに無応答状態として通信を終了してもよい。
【００１８】
しきい値設定部１３は、テスト通信時に受信回路部６で受信した信号の電界強度と比較されるしきい値が予め設定されている。このしきい値は、設置後の家具の配置変更による電波状況の変化や、昼夜での電波状況の変化や、フェージング等を考慮して設定される。
【００１９】
テスト通信起動部１４は、無線親機１から無線子機３へテスト起動信号無線送信し、無線子機３から無線親機１へテスト信号を無線送信してテスト通信を行う場合に、テスト起動信号を制御回路部１１に発生させるテスト起動信号発生手段である。テスト起動信号は、制御回路部１１から送信回路部８に出力され、送信回路部８は、アンテナ５を介して、無線子機３に無線送信する。
【００２０】
図３は本発明の実施例１に係る無線子機３の機能構成を示すブロック図である。図３に示すように、無線子機３は、アンテナ１６、受信回路部１７、電界強度測定部１８、送信回路部１９、信号処理部２０、電源回路部２３、テスト通信起動部２６及び報知部２５を備えて構成されている。また、信号処理部２０は、電文解析部２１、制御回路部２２及びしきい値設定部２４を備えている。
【００２１】
受信回路部１７は、アンテナ１６を介して信号を無線受信する。送信回路部１９は、アンテナ１６を介して信号を無線送信する。電源回路部２３は、信号処理部２０に電源を供給する。
【００２２】
電界強度測定部１８は、受信回路部１７で受信した信号の電界強度を測定して測定値を制御回路部２２に出力する。電文解析部２１は、受信回路部１７で受信した信号を制御回路部２２に出力するとともに受信した信号の電文を解析して、テスト起動信号およびテスト信号であるかどうかを判断する。
【００２３】
制御回路部２２は、受信した信号がテスト起動信号およびテスト信号でない場合、通常の通信を行う。制御回路部２２は、受信した信号がテスト起動信号である場合、無線親機１に対してテスト信号を無線送信する。制御回路部２２は、受信した信号がテスト信号である場合、電界強度測定部１８から出力された電界強度の測定値と、しきい値設定部２４に予め設定されたしきい値とを比較して、電界強度の測定値がしきい値よりも大きい場合は、通常の通信を行う。電界強度の測定値がしきい値よりも小さい場合は、報知部２５にエラー報知して、通信を終了する。
【００２４】
テスト通信起動部２６は、無線子機３から無線親機１へテスト起動信号無線送信し、無線親機１から無線子機３へテスト信号を無線送信してテスト通信を行う場合に、テスト起動信号を制御回路部２２に発生させるテスト起動信号発生手段である。テスト起動信号は、制御回路部２２から送信回路部１９に出力される。送信回路部１９は、テスト起動信号をアンテナ１６を介して、無線親機１に無線送信する。
【００２５】
なお、無線子機３から無線親機１へテスト起動信号を無線送信して、テスト通信を行う場合、無線親機１の電界強度測定部７、しきい値設定部１３、テスト通信起動部１４、報知部１５は省略可能である。また、テスト起動信号は防災端末４から出力され、制御回路部２２に入力されるものとしてもよい。
【００２６】
また、無線親機１から無線子機３へテスト起動信号を無線送信して、テスト通信を行う場合、無線子機３の電界強度測定部１８、しきい値設定部２４、テスト通信起動部２６、報知部２５は省略可能である。また、テスト起動信号はセンタ装置１０１から出力され、通信ネットワーク１００及び網制御装置２を介して制御回路部１１に入力されるものとしてもよい。
【００２７】
次に、本発明の実施例１に係る無線通信装置の動作を詳細に説明する。まず、無線子機３からの信号を無線親機１が無線受信する際の動作を図４に示すフローチャートを用いて説明する。無線親機１の受信回路部６は、アンテナ５を介して信号を無線受信する（ステップＳ１）。電界強度測定部７は、受信した信号の電界強度を測定して、測定値を制御回路部１１に出力する（ステップＳ２）。電文解析部１０は、受信した信号の電文を解析して、テスト信号であるかどうかを判断する（ステップＳ３）。受信した信号がテスト信号であった場合、制御回路部１１は、電界強度の測定値と、しきい値設定部１３に設定されたしきい値とを比較する（ステップＳ４）。電界強度の測定値がしきい値よりも小さいとき報知部１５にエラー報知するとともにエラー報知電文を網制御装置２に出力して（ステップＳ５）、通信を終了する（ステップＳ７）。ステップＳ３で、受信した信号がテスト信号でない場合またはステップＳ４で、電界強度の測定値がしきい値よりも大きい場合、制御回路部１１は、信号を網制御装置２に出力して通常の通信を行い（ステップＳ６）、通信を終了する（ステップＳ７）。
【００２８】
次に、無線親機１からの信号を無線子機３が無線受信する際の動作を図５に示すフローチャートを用いて説明する。無線子機３の受信回路部１７は、アンテナ１６を介して信号を無線受信する（ステップＳ１１）。電界強度測定部１８は、受信した信号の電界強度を測定して、測定値を制御回路部２２に出力する（ステップＳ１２）。電文解析部２１は、受信した信号の電文を解析して、テスト信号であるかどうかを判断する（ステップＳ１３）。受信した信号がテスト信号であった場合、制御回路部２２は、電界強度の測定値と、しきい値設定部２４に設定されたしきい値とを比較する（ステップＳ１４）。電界強度の測定値がしきい値よりも小さいとき報知部２５にエラー報知して（ステップＳ１５）、通信を終了する（ステップＳ１７）。ステップＳ１３で、受信した信号がテスト信号でない場合またはステップＳ１４で、電界強度の測定値がしきい値よりも大きい場合、制御回路部２２は、通常の通信を行い（ステップＳ１６）、通信を終了する（ステップＳ１７）。
【００２９】
このように、本発明の実施例１に係る無線通信装置及び無線通信システムは、無線受信した信号がテスト信号であると判断されたときに、電界強度測定部で測定された電界強度と、しきい値設定部に設定されたしきい値とを制御回路部が比較する。電界強度の測定値がしきい値よりも大きいときは通常の通信を行い、測定値がしきい値よりも小さいときはエラー報知するので、無線子機３及び無線親機１を新規に設置する場合、設置後の電波状況を考慮したテスト通信を容易に行うことができる。このため、設置後の家具の配置変更による電波状況の変化や、昼夜での電波状況の変化や、フェージング等が発生した場合でもより高い通信品質の確保ができる。
【００３０】
また、電界強度測定部を無線親機１または無線子機３の中に設けたので、電界強度を正確に行うことができる。
【実施例２】
【００３１】
図６は本発明の実施例２に係る無線親機１ａの機能構成を示すブロック図である。図６に示すように、無線親機１ａは、図２に示す実施例１の無線親機１に設けられていた電界強度測定部７、しきい値設定部１３をなくし、信号減衰部２７及びスイッチＳＷ１を追加したものである。その他の構成は実施例１の無線親機１と同様であり、同様の構成には同様の符号を付し、詳細は省略する。
【００３２】
スイッチＳＷ１は、共通端子３０に接片３１の一端が接続され、接片３１の他端が選択端子２８または選択端子２９に切り替え接続される。共通端子３０には送信回路部８が接続され、選択端子２８にはアンテナ５が接続され、選択端子２９には信号減衰部２７の一端が接続され、信号減衰部２７の他端にはアンテナ５が接続されている。スイッチＳＷ１は通常の通信を行う場合、接片３１は選択端子２８に接続されている。
【００３３】
信号減衰部２７は、無線親機１ａから無線子機３ａ（後述）へテスト起動信号を無線送信する場合に、テスト起動信号の送信電力を減衰させてアンテナ５へ出力するものであり、減衰量はフェージング等による電波状況の変化を考慮して設定される。
【００３４】
制御回路部１１は、テスト通信起動部１４からの指示によりテスト通信を行う場合、スイッチＳＷ１の接片３１を選択端子２９側に切り替えて、テスト起動信号を送信回路部８及び信号減衰部２７を介してアンテナ５に出力する。また、制御回路部１１は、無線子機３ａからのテスト信号を正常に受信できない場合は、報知部１５にエラー報知するとともに網制御装置２にエラー報知電文を出力して、通信を終了する。このとき、エラー報知電文を出力する替わりに網制御装置２に信号を出力せずに無応答状態として通信を終了してもよい。
【００３５】
図７は本発明の実施例２に係る無線子機３ａの機能構成を示すブロック図である。図７に示すように、無線子機３ａは、図３に示す実施例１の無線子機３に設けられていた電界強度測定部１８、しきい値設定部２４をなくし、信号減衰部３２及びスイッチＳＷ２を追加したものである。その他の構成は実施例１の無線子機３と同様であり、同様の構成には同様の符号を付し、詳細は省略する。
【００３６】
スイッチＳＷ２は、共通端子３８に接片４０の一端が接続され、接片４０の他端が選択端子３９または選択端子３７に切り替え接続される。共通端子３８には送信回路部１９が接続され、選択端子３９にはアンテナ１６が接続され、選択端子３７には信号減衰部３２の一端が接続され、信号減衰部３２の他端にはアンテナ１６が接続されている。スイッチＳＷ２は通常の通信を行う場合、接片４０は選択端子３９に接続されている。
【００３７】
信号減衰部３２は、無線子機３ａから無線親機１ａへテスト起動信号を無線送信する場合に、テスト起動信号の送信電力を減衰させてアンテナ１６へ出力するものであり、減衰量はフェージング等による電波状況の変化を考慮して設定される。
【００３８】
制御回路部２２は、テスト通信起動部２６からの指示によりテスト通信を行う場合、スイッチＳＷ２の接片４０を選択端子３７側に切り替えて、テスト起動信号を送信回路部１９及び信号減衰部３２を介してアンテナ１６に出力する。また、制御回路部２２は、無線親機１ａからのテスト信号を正常に受信できない場合は、報知部２５にエラー報知して、通信を終了する。
【００３９】
なお、無線子機３ａから無線親機１ａへテスト起動信号を無線送信して、テスト通信を行う場合、無線親機１ａのテスト通信起動部１４、報知部１５、信号減衰部２７は省略可能である。
【００４０】
また、無線親機１ａから無線子機３ａへテスト起動信号を無線送信して、テスト通信を行う場合、無線子機３ａのテスト通信起動部２６、報知部２５、信号減衰部３２は省略可能である。
【００４１】
このように、本発明の実施例２に係る無線通信装置及び無線通信システムは、テスト通信を行う際は、テスト起動信号の送信電力を信号減衰部により減衰させて送信するので、無線子機３ａ及び無線親機１ａを新規に設置する場合、設置後の電波状況を考慮したテスト通信を容易に行うことができる。このため、設置後の家具の配置変更による電波状況の変化や、昼夜での電波状況の変化や、フェージング等が発生した場合でもより高い通信品質の確保ができる。
【実施例３】
【００４２】
図８は本発明の実施例３に係る無線親機１ｂの機能構成を示すブロック図である。図８に示すように、無線親機１ｂは、図６に示す実施例２の無線親機１ａの受信回路部６と送信回路部８とを入れ替えて、スイッチＳＷ１の替わりにＳＷ３を設けたものである。その他の構成は実施例２の無線親機１ａと同様であり、同様の構成には同様の符号を付し、詳細は省略する。
【００４３】
スイッチＳＷ３は、共通端子４３に接片４４の一端が接続され、接片４４の他端が選択端子４１または選択端子４２に切り替え接続される。共通端子４３には受信回路部６が接続され、選択端子４１にはアンテナ５が接続され、選択端子４２には信号減衰部２７の一端が接続され、信号減衰部２７の他端にはアンテナ５が接続されている。スイッチＳＷ３は通常の通信を行う場合、接片４４は選択端子４１に接続されている。
【００４４】
信号減衰部２７は、無線子機３ｂ（後述）から無線親機１ｂへテスト信号を無線送信する場合に、アンテナ５を介して受信したテスト信号の受信電力を減衰させて受信回路部６へ出力するものであり、減衰量はフェージング等による電波状況の変化を考慮して設定される。
【００４５】
制御回路部１１は、テスト通信起動部１４からの指示によりテスト通信を行う場合、スイッチＳＷ３の接片４４を選択端子４２側に切り替える。テスト信号はアンテナ５、信号減衰部２７及び受信回路部６、電文解析部１０を介して制御回路部１１に入力される。また、制御回路部１１は、無線子機３ｂからの信号を正常に受信できない場合は、報知部１５にエラー報知するとともにエラー報知電文を網制御装置２に出力して、通信を終了する。このとき、エラー報知電文を出力する替わりに網制御装置２に信号を出力せずに無応答状態として通信を終了してもよい。
【００４６】
図９は本発明の実施例３に係る無線子機３ｂの機能構成を示すブロック図である。図９に示すように、無線子機３ｂは、図７に示す実施例２の無線子機３ａの受信回路部１７と送信回路部１９とを入れ替えて、スイッチＳＷ２の替わりにＳＷ４を設けたものである。その他の構成は実施例２の無線子機３ａと同様であり、同様の構成には同様の符号を付し、詳細は省略する。
【００４７】
スイッチＳＷ４は、共通端子４６に接片４８の一端が接続され、接片４８の他端が選択端子４７または選択端子４５に切り替え接続される。共通端子４６には受信回路部１７が接続され、選択端子４７にはアンテナ１６が接続され、選択端子４５には信号減衰部３２の一端が接続され、信号減衰部３２の他端にはアンテナ１６が接続されている。スイッチＳＷ４は通常の通信を行う場合、接片４８は選択端子４７に接続されている。
【００４８】
信号減衰部３２は、無線親機１ｂから無線子機３ｂへテスト信号を無線送信する場合に、アンテナ１６を介して受信したテスト信号の受信電力を減衰させて受信回路部１７へ出力するものであり、減衰量はフェージング等による電波状況の変化を考慮して設定される。
【００４９】
制御回路部２２は、テスト通信起動部２６からの指示によりテスト通信を行う場合、スイッチＳＷ４の接片４８を選択端子４５側に切り替える。テスト信号はアンテナ１６、信号減衰部３２及び受信回路部１７および電文解析部２１を介して制御回路部２２に入力される。また、制御回路部２２は、無線親機１ｂからの信号を正常に受信できない場合は、報知部２５にエラー報知して、通信を終了する。
【００５０】
なお、無線子機３ｂから無線親機１ｂへテスト起動信号を無線送信して、テスト通信を行う場合、無線親機１ｂのテスト通信起動部１４、信号減衰部２７及び報知部１５は省略可能である。
【００５１】
また、無線親機１ｂから無線子機３ｂへテスト起動信号を無線送信して、テスト通信を行う場合、無線子機３ｂのテスト通信起動部２６、信号減衰部３２及び報知部２５は省略可能である。
【００５２】
このように、本発明の実施例３に係る無線通信装置及び無線通信システムは、テスト通信を行う際は、テスト信号の受信電力を信号減衰部により減衰させて受信するので、無線子機３ｂ及び無線親機１ｂを新規に設置する場合、設置後の電波状況を考慮したテスト通信を容易に行うことができる。このため、設置後の家具の配置変更による電波状況の変化や、昼夜での電波状況の変化や、フェージング等が発生した場合でもより高い通信品質の確保ができる。
【産業上の利用可能性】
【００５３】
本発明は、新規に設置した場合に、運用時の電波状況を考慮したテスト通信を容易に行うことができる無線通信装置として利用可能である。
【図面の簡単な説明】
【００５４】
【図１】本発明に係る無線通信システムの構成を示すブロック図である。
【図２】本発明の実施例１に係る無線親機の構成を示すブロック図である。
【図３】本発明の実施例１に係る無線子機の構成を示すブロック図である。
【図４】無線子機から無線親機に無線信号を送信したときの無線親機の動作を示すフローチャートである。
【図５】無線親機から無線子機に無線信号を送信したときの無線子機の動作を示すフローチャートである。
【図６】本発明の実施例２に係る無線親機の構成を示すブロック図である。
【図７】本発明の実施例２に係る無線子機の構成を示すブロック図である。
【図８】本発明の実施例３に係る無線親機の構成を示すブロック図である。
【図９】本発明の実施例３に係る無線子機の構成を示すブロック図である。
【符号の説明】
【００５５】
１  無線親機
２  網制御装置
３  無線子機
４  防災端末
５、１６  アンテナ
７、１８  電界強度測定部
８、１９  送信回路部
９、２０  信号処理部
１０、２１  電文解析部
１１、２２  制御回路部
１２、２３  電源回路部
１３、２４  しきい値設定部
１４、２６  テスト通信起動部
１５、２５  報知部
２７、３２  信号減衰部
１００  通信ネットワーク
１０１  センタ装置
【図１】
2006333090.tif 000003
【図２】
2006333090.tif 000004
【図３】
2006333090.tif 000005
【図４】
2006333090.tif 000006
【図５】
2006333090.tif 000007
【図６】
2006333090.tif 000008
【図７】
2006333090.tif 000009
【図８】
2006333090.tif 000010
【図９】
2006333090.tif 000011